(57)【要約】【課題】無線通信網における端末装置を遠隔起動すること。【解決手段】基地局装置１１０は、無線受信部１１１と、記憶部１１２と、要求受信部１１４と、判断部１１５と、配信部１１６と、を備えている。無線受信部１１１は、周囲に位置する端末装置から端末装置の識別情報を無線受信する。記憶部１１２は、無線受信部１１１によって受信された識別情報を記憶する。要求受信部１１４は、起動対象の端末装置の識別情報を含む起動要求を他の通信装置から受信する。判断部１１５は、要求受信部１１４によって受信された起動要求に含まれる識別情報が記憶部１１２に記憶されているか否かを判断する。配信部１１６は、判断部１１５によって識別情報が記憶されていると判断された場合に、識別情報が示す端末装置を起動対象とする起動指示を周囲に無線配信する。【選択図】図１
2010206631.tif 000002
【特許請求の範囲】
【請求項１】
周囲に位置する端末装置から前記端末装置の識別情報を無線受信する無線受信手段と、
前記無線受信手段によって受信された識別情報を記憶する記憶手段と、
起動対象の端末装置の識別情報を含む起動要求を他の通信装置から受信する要求受信手段と、
前記要求受信手段によって受信された起動要求に含まれる識別情報が前記記憶手段に記憶されているか否かを判断する判断手段と、
前記判断手段によって前記識別情報が記憶されていると判断された場合に、前記識別情報が示す端末装置を起動対象とする起動指示を周囲に無線配信する配信手段と、
を備えることを特徴とする基地局装置。
【請求項２】
前記記憶手段に記憶された識別情報のうち、前記無線受信手段によって所定期間以上受信されていない識別情報を前記記憶手段から消去する管理手段を備えることを特徴とする請求項１に記載の基地局装置。
【請求項３】
前記配信手段は、無線配信した起動指示が前記起動対象に受信されなかった場合に、前記起動指示を再度無線配信することを特徴とする請求項１または２に記載の基地局装置。
【請求項４】
電源がオフのときに自装置の識別情報を基地局装置へ無線送信する無線送信手段と、
前記基地局装置から無線配信された起動指示を受信する受信手段と、
前記受信手段による起動対象が自装置である起動指示の受信を検知する検知手段と、
前記検知手段によって前記受信が検知された場合に自装置の電源をオンにする起動手段と、
を備えることを特徴とする端末装置。
【請求項５】
周囲に位置する電源オフの端末装置から前記端末装置の識別情報を無線受信する無線受信工程と、
前記無線受信工程によって受信された識別情報を記憶する記憶工程と、
起動対象の端末装置の識別情報を含む起動要求を他の通信装置から受信する要求受信工程と、
前記要求受信工程によって受信された起動要求に含まれる識別情報が前記記憶工程に記憶されているか否かを判断する判断工程と、
前記判断工程によって前記識別情報が記憶されていると判断された場合に、前記識別情報が示す端末装置を起動対象とする起動指示を周囲に無線配信する配信工程と、
を含むことを特徴とする基地局装置の通信方法。
【請求項６】
電源がオフのときに自装置の識別情報を基地局装置へ無線送信する無線送信工程と、
前記基地局装置から無線配信された起動指示を受信する受信工程と、
前記受信工程による起動対象が自装置である起動指示の受信を検知する検知工程と、
前記検知工程によって前記受信が検知された場合に自装置の電源をオンにする起動工程と、
を含むことを特徴とする端末装置の通信方法。
【発明の詳細な説明】
【技術分野】
【０００１】
この発明は、無線通信を行う基地局装置、端末装置および通信方法に関する。
【背景技術】
【０００２】
近年、世界中で「エコ対応」や「グリーンＩＣＴ（Ｉｎｆｏｒｍａｔｉｏｎ  ａｎｄ  Ｃｏｍｍｕｎｉｃａｔｉｏｎ  Ｔｅｃｈｎｏｌｏｇｙ）」が叫ばれる中、夜間など未使用中のＰＣは電源をオフにすることが望まれている。こういった環境の中、たとえば夜間におけるＰＣの一斉メンテナンスのために、遠隔地からＰＣの電源をオンにする技術としてＷＯＬ（Ｗａｋｅ  Ｏｎ  Ｌａｎ）が一般的に使われている。
【０００３】
ＷＯＬにおいては、有線ＬＡＮ（Ｌｏｃａｌ  Ａｒｅａ  Ｎｅｔｗｏｒｋ：構内通信網）のＰＣに対して、外部の通信装置からマジックパケットと呼ばれる起動要求を送信する。ＰＣのＬＡＮインターフェースは、ルータやハブなどのネットワーク機器類に対してＵＴＰ（Ｕｎｓｈｉｅｌｄｅｄ  Ｔｗｉｓｔ  Ｐａｉｒ）ケーブルなどで結線されている。
【０００４】
ＰＣのＬＡＮインターフェースは、ＰＣの電源がオフのときでもマザーボードなどから微弱な電源供給を受けており、外部の通信装置から送信されたマジックパケットを受信する。ＬＡＮインターフェースは、自装置を起動対象とするマジックパケットを受信すると、マザーボードへ電源オンを指示することによりＰＣを起動する。
【０００５】
マジックパケットは、主に有線通信を介して、ブロードキャストなどによって配信される。各ＰＣのＬＡＮインターフェースは、ブロードキャストなどによって配信されたマジックパケットから、自装置を起動対象とするマジックパケットを検知し、自装置を起動対象とするマジックパケットを検知すると上記の起動動作を行う。
【０００６】
一方、ネットワークと接続された基地局装置と端末装置との間で無線通信網を形成する無線ＬＡＮが、近年、モビリティの観点からだけでなく配線工事の削減などの観点からも導入されている。また、無線ＬＡＮにおいて、ネットワークに接続された基地局装置をＷＯＬにより遠隔起動する技術が開示されている（たとえば、下記特許文献１参照）。
【先行技術文献】
【特許文献】
【０００７】
【特許文献１】特表２００５−５３５１６９号公報
【発明の概要】
【発明が解決しようとする課題】
【０００８】
しかしながら、上述した従来のＷＯＬでは、有線ＬＡＮにおける端末装置の遠隔起動は可能であるが、無線ＬＡＮなどの無線通信網における端末装置の遠隔起動はできないという問題がある。具体的には、無線通信網におけるアクセスポイントとなる基地局装置は、外部の通信装置から起動指示を受信しても、受信した起動指示が自装置の管理下にある端末装置に関するものか否かを判断できない。
【０００９】
また、外部の通信装置から起動指示を受信した場合に、起動指示を常に自装置の周囲に無線配信するようにすることも考えられる。しかしながら、この場合は、いずれかの無線通信網の端末装置に対する起動要求が配信されるごとに、他の各無線通信網において起動指示が一斉に無線配信されることになる。このため、関係のない無線通信網において無駄な消費電力およびトラフィックが発生するという問題がある。
【００１０】
また、通常のマジックパケットは、たとえば起動対象のＭＡＣ（Ｍｅｄｉａ  Ａｃｃｅｓｓ  Ｃｏｎｔｒｏｌ）アドレスが１６個連続して格納されているものであり（図１２参照）、サイズが大きいという問題がある。このため、無線通信網におけるアクセスポイントとなる基地局装置が、外部の通信装置から受信したマジックパケットをそのままＬＡＮ内の各端末装置へ無線配信すると消費電力が大きくなるという問題がある。
【００１１】
また、各端末装置が備えるＬＡＮインターフェースは、端末装置が電源オフのときは微弱な電源供給しか受けていないため、サイズの大きいマジックパケットを受信することができないという問題がある。また、ＬＡＮインターフェースへ供給する電源を大きくすると、端末装置の電源オフ時の消費電力が増加するという問題がある。
【００１２】
また、基地局装置と各端末装置との間でサイズの大きなマジックパケットを伝送すると、ＣＳＭＡ／ＣＡ（Ｃａｒｒｉｅｒ  Ｓｅｎｓｅ  Ｍｕｌｔｉｐｌｅ  Ａｃｃｅｓｓ／Ｃｏｌｌｉｓｉｏｎ  Ａｖｏｉｄａｎｃｅ）などのデータ衝突回避の動作によって他の通信装置におけるデータの送出待ち時間が増加するという問題がある。
【００１３】
このように、無線通信網における端末装置の遠隔起動には、有線ＬＡＮにおいて用いられているＷＯＬの技術をそのまま利用することができない。このため、無線通信網における端末装置を遠隔起動することが困難であるという問題がある。
【００１４】
開示の基地局装置、端末装置および通信方法は、上述した問題点を解消するものであり、無線通信網における端末装置を遠隔起動することを目的とする。
【課題を解決するための手段】
【００１５】
上述した課題を解決し、目的を達成するため、この基地局装置は、周囲に位置する端末装置から前記端末装置の識別情報を無線受信する無線受信手段と、前記無線受信手段によって受信された識別情報を記憶する記憶手段と、起動対象の端末装置の識別情報を含む起動要求を他の通信装置から受信する要求受信手段と、前記要求受信手段によって受信された起動要求に含まれる識別情報が前記記憶手段に記憶されているか否かを判断する判断手段と、前記判断手段によって前記識別情報が記憶されていると判断された場合に、前記識別情報が示す端末装置を起動対象とする起動指示を周囲に無線配信する配信手段と、を備えることを要件とする。
【００１６】
上記構成によれば、周囲に位置する端末装置から無線送信される識別情報を受信して記憶しておくことで、自装置の管理下にある端末装置を起動対象とする起動要求の受信を検知することが可能になる。
【発明の効果】
【００１７】
開示の基地局装置、端末装置および通信方法によれば、無線通信網における端末装置を遠隔起動することができるという効果を奏する。
【図面の簡単な説明】
【００１８】
【図１】実施の形態にかかる通信システムの構成を示すブロック図である。
【図２】図１に示した基地局装置による識別情報の受信動作の一例を示すフローチャートである。
【図３】図１に示した基地局装置による起動指示の配信動作の一例を示すフローチャートである。
【図４】図１に示した端末装置の構成を示すブロック図である。
【図５】図４に示した端末装置による識別情報の送信動作の一例を示すフローチャートである。
【図６】図４に示した端末装置による起動動作の一例を示すフローチャートである。
【図７】図１に示した通信システムにおける識別情報の管理動作の一例を示すシーケンス図である。
【図８】図１に示した通信システムにおける識別情報の管理動作の他の例を示すシーケンス図である。
【図９】図１に示した通信システムにおける遠隔起動動作の一例を示すシーケンス図である。
【図１０】図１に示した通信システムにおける遠隔起動動作の他の例を示すシーケンス図である。
【図１１】図１に示した通信システムにおける遠隔起動動作のさらに他の例を示すシーケンス図である。
【図１２】図１に示した通信装置が送信するマジックパケットの例を示す図である。
【図１３】図１に示した基地局装置と端末装置との間で送受信するフレームの例を示す図である。
【図１４】図１３に示したＭＡＣ層ペイロードの内容を示す図である。
【図１５】図１に示した記憶部に記憶されるテーブルの一例を示す図である。
【発明を実施するための形態】
【００１９】
以下に添付図面を参照して、この基地局装置、端末装置および通信方法の好適な実施の形態を詳細に説明する。
【００２０】
（実施の形態）
（通信システムおよび基地局装置の構成）
図１は、実施の形態にかかる通信システムの構成を示すブロック図である。図１に示すように、実施の形態にかかる通信システム１００は、基地局装置１１０と、端末装置１２１，１２２と、通信装置１３０と、を含んでいる。端末装置１２１，１２２は、基地局装置１１０の周囲に位置している。基地局装置１１０の周囲は、基地局装置１１０が送信する電波が届く範囲であり、たとえば基地局装置１１０と同一の屋内である。
【００２１】
基地局装置１１０および端末装置１２１，１２２は、互いに電波を送受信することによって無線通信を行う無線通信網１０１（たとえばＬＡＮ）を形成している。端末装置１２１，１２２のそれぞれは、自装置の識別情報を定期的に基地局装置１１０へ無線送信する。識別情報は、たとえば、端末装置１２１，１２２のＭＡＣアドレスである。
【００２２】
基地局装置１１０は、無線受信部１１１と、記憶部１１２と、管理部１１３と、要求受信部１１４と、判断部１１５と、配信部１１６と、を備えている。無線受信部１１１は、端末装置１２１，１２２から端末装置の識別情報を無線受信する。そして、無線受信部１１１は、無線受信した識別情報を記憶部１１２へ出力する。
【００２３】
無線受信部１１１は、たとえば、基地局装置１１０が電源オン時の端末装置１２１および端末装置１２２と通信を行う不図示の通信インターフェース（たとえば無線ＬＡＮインターフェース）とは別に設けられた、超微弱電波を出力する超微弱電波モジュールである。この場合は、無線受信部１１１は、端末装置１２１，１２２から超微弱電波によって無線送信された識別情報を受信する。
【００２４】
記憶部１１２は、無線受信部１１１から出力された識別情報を記憶する。管理部１１３は、記憶部１１２に記憶された識別情報を管理する。具体的には、管理部１１３は、記憶部１１２に記憶された識別情報のうち、無線受信部１１１によって所定期間以上受信されていない識別情報を記憶部１１２から消去する。
【００２５】
要求受信部１１４は、特定の端末装置を起動すべき旨の起動要求を通信装置１３０から受信する。要求受信部１１４が受信する起動要求には、起動対象の端末装置の識別情報が含まれている。起動要求は、たとえば、識別情報としてＭＡＣアドレスを含むマジックパケットである。要求受信部１１４は、受信した起動要求を判断部１１５へ出力する。
【００２６】
判断部１１５は、要求受信部１１４から出力された起動要求に含まれる識別情報が記憶部１１２に記憶されているか否かを判断する。判断部１１５は、起動要求に含まれる識別情報が記憶部１１２に記憶されていると判断した場合に、起動要求に含まれる識別情報を配信部１１６へ通知する。配信部１１６は、判断部１１５から通知された識別情報が示す端末装置を起動対象とする起動指示を基地局装置１１０の周囲に無線配信する。
【００２７】
配信部１１６は、たとえば、基地局装置１１０が電源オン時の端末装置１２１および端末装置１２２と通信を行う不図示の通信インターフェース（たとえば無線ＬＡＮインターフェース）とは別に設けられた、超微弱電波を出力する超微弱電波モジュールである。この場合は、配信部１１６は、起動指示を超微弱電波によって無線配信する。
【００２８】
たとえば、基地局装置１１０が電源オン時の端末装置１２１および端末装置１２２と通信を行う不図示の通信インターフェースはＩＥＥＥ８０２．１１ａ（５ＧＨｚ帯）の無線ＬＡＮモジュールである。また、無線受信部１１１および配信部１１６はＩＥＥＥ８０２．１５．４（２．４ＧＨｚ帯）の超微弱電波モジュールである。
【００２９】
この場合は、端末装置１２１および１２２にも同様の超微弱電波モジュールが設けられる。また、無線受信部１１１および配信部１１６と端末装置１２１，１２２との間のＭＡＣ層リンクデータ伝送モデルは非ビーコンネットワークモデルとする。
【００３０】
通信装置１３０は、起動対象の識別情報を含む起動要求を基地局装置１１０へ送信する。通信装置１３０と基地局装置１１０との通信は、無線通信であってもよいし、有線通信であってもよい。たとえば、通信装置１３０は、端末装置１２１，１２２の管理者によって操作される装置である。端末装置１２１，１２２の管理者は、通信装置１３０から起動要求を送信することで端末装置１２１や端末装置１２２を遠隔起動することができる。
【００３１】
（基地局装置の動作）
図２は、図１に示した基地局装置による識別情報の受信動作の一例を示すフローチャートである。図１に示した基地局装置１１０は、たとえば以下のような識別情報の受信動作を行う。まず、無線受信部１１１が、周囲の端末装置（端末装置１２１，１２２など）から送信されたＭＡＣアドレスを無線受信したか否かを判断する（ステップＳ２０１）。
【００３２】
ステップＳ２０１において、ＭＡＣアドレスを受信していない場合（ステップＳ２０１：Ｎｏ）は、ステップＳ２０３へ移行する。ＭＡＣアドレスを受信した場合（ステップＳ２０１：Ｙｅｓ）は、記憶部１１２が、ステップＳ２０１によって無線受信されたＭＡＣアドレスをテーブルに追加する（ステップＳ２０２）。
【００３３】
つぎに、管理部１１３が、ステップＳ２０２によって最後にテーブルに追加されてから所定期間が経過したＭＡＣアドレスがあるか否かを判断する（ステップＳ２０３）。最後にテーブルに追加されてから所定期間が経過したＭＡＣアドレスがない場合（ステップＳ２０３：Ｎｏ）は、ステップＳ２０１へ戻って処理を続行する。
【００３４】
ステップＳ２０３において、最後にテーブルに追加されてから所定期間が経過したＭＡＣアドレスがある場合（ステップＳ２０３：Ｙｅｓ）は、管理部１１３が、最後にテーブルに追加されてから所定期間が経過したＭＡＣアドレスを記憶部１１２のテーブルから消去し（ステップＳ２０４）、ステップＳ２０１へ戻って処理を続行する。
【００３５】
以上のステップにより、周囲に位置する端末装置１２１および端末装置１２２の識別情報を無線受信し、無線受信した識別情報を記憶部１１２に記憶することができる。また、記憶部１１２に記憶されたＭＡＣアドレス（識別情報）のうち、無線受信部１１１によって所定期間以上受信されていない識別情報を記憶部１１２から消去することができる。
【００３６】
図３は、図１に示した基地局装置による起動指示の配信動作の一例を示すフローチャートである。図１に示した基地局装置１１０は、図２に示した識別情報の受信動作とともに、たとえば以下のような起動指示の配信動作を行う。まず、要求受信部１１４が、通信装置１３０から送信されたマジックパケットを受信したか否かを判断し（ステップＳ３０１）、受信するまで待つ（ステップＳ３０１：Ｎｏのループ）。
【００３７】
ステップＳ３０１において、マジックパケットを受信すると（ステップＳ３０１：Ｙｅｓ）、判断部１１５が、ステップＳ３０１によって受信されたマジックパケットからＭＡＣアドレスを抽出する（ステップＳ３０２）。つぎに、判断部１１５が、ステップＳ３０２によって抽出されたＭＡＣアドレスが記憶部１１２のテーブルに含まれているか否かを判断する（ステップＳ３０３）。
【００３８】
ステップＳ３０３において、抽出されたＭＡＣアドレスが記憶部１１２のテーブルに含まれていない場合（ステップＳ３０３：Ｎｏ）は、ステップＳ３０１へ戻って処理を続行する。抽出されたＭＡＣアドレスが記憶部１１２のテーブルに含まれている場合（ステップＳ３０３：Ｙｅｓ）は、配信部１１６が、基地局装置１１０の周囲の端末装置へ起動指示を無線配信し（ステップＳ３０４）、ステップＳ３０１へ戻って処理を続行する。
【００３９】
ステップＳ３０４によって無線配信される起動指示は、ステップＳ３０２によって抽出されたＭＡＣアドレスを起動対象の識別情報として含む起動指示である。以上のステップにより、通信装置１３０からマジックパケットを受信した場合に、受信したマジックパケットの起動対象が基地局装置１１０の管理下にあるか否かを判断することができる。
【００４０】
受信したマジックパケットの起動対象が基地局装置１１０の管理下にある場合は、マジックパケットに含まれるＭＡＣアドレスが示す端末装置を起動対象とする起動指示を周囲に無線配信することで、起動対象の端末装置を遠隔起動することができる。また、受信したマジックパケットの起動対象が基地局装置１１０の管理下にない場合は、受信したマジックパケットを無視することで無駄な起動指示の無線配信を回避することができる。
【００４１】
（端末装置の構成）
図４は、図１に示した端末装置の構成を示すブロック図である。図４に示すように、端末装置１２１（図１参照）は、記憶部４１１と、無線送信部４１２と、管理部４１３と、受信部４１４と、検知部４１５と、起動部４１６と、を備えている。記憶部４１１には、端末装置１２１の識別情報が記憶されている。端末装置１２１の識別情報は、たとえば、端末装置１２１に割り当てられたＭＡＣアドレスである。
【００４２】
無線送信部４１２は、記憶部４１１に記憶された識別情報を読み出し、読み出した識別情報を基地局装置１１０へ無線送信する。管理部４１３は、無線送信部４１２による識別情報の無線送信を管理する。たとえば、管理部４１３は、基地局装置１１０の電源がオフのときに、識別情報を定期的に無線送信するように無線送信部４１２を制御する。
【００４３】
受信部４１４は、基地局装置１１０から無線配信された起動指示を受信する。受信部４１４は、受信した起動指示を検知部４１５へ出力する。検知部４１５は、起動対象が自装置である起動指示の受信部４１４による受信を検知する。具体的には、検知部４１５は、受信部４１４から出力された起動指示に含まれる識別情報を抽出し、抽出した識別情報が端末装置１２１の識別情報と一致するか否かを判断する。
【００４４】
端末装置１２１の識別情報は、たとえば記憶部４１１から読み出すことによって取得することができる。検知部４１５は、抽出した識別情報が端末装置１２１の識別情報と一致すると検出信号を起動部４１６へ出力する。起動部４１６は、検知部４１５から起動指示が出力された場合に自装置の電源をオンにする。また、電源をオンにした旨の起動通知を、無線送信部４１２によって基地局装置１１０へ無線送信してもよい。
【００４５】
図４に示した端末装置１２１の各構成は、端末装置１２１の電源オフ時にも端末装置１２１のマザーボードなどから微弱な電源供給を受けて動作している。たとえば、無線送信部４１２および受信部４１４は、端末装置１２１の電源オン時に基地局装置１１０と通信を行う通信インターフェース（たとえば無線ＬＡＮインターフェース）とは別に設けられた、超微弱電波を出力する超微弱電波モジュールである。
【００４６】
この場合は、無線送信部４１２は、識別情報を超微弱電波によって無線送信する。また、受信部４１４は、基地局装置１１０の超微弱電波モジュールから超微弱電波によって無線配信された起動指示を受信する。ここでは、端末装置１２１について説明したが、端末装置１２２（図１参照）についても同様である。
【００４７】
（端末装置の動作）
図５は、図４に示した端末装置による識別情報の送信動作の一例を示すフローチャートである。図４に示した端末装置１２１は、たとえば以下のような識別情報の送信動作を行う。まず、無線送信部４１２が、記憶部４１１に記憶されたＭＡＣアドレスを読み出す（ステップＳ５０１）。つぎに、無線送信部４１２が、ステップＳ５０１によって読み出されたＭＡＣアドレスを基地局装置１１０へ無線送信する（ステップＳ５０２）。
【００４８】
つぎに、管理部４１３が、ステップＳ５０２によってＭＡＣアドレスを無線送信してから所定期間が経過したか否かを判断し（ステップＳ５０３）、所定期間が経過するまで待つ（ステップＳ５０３：Ｎｏのループ）。所定期間が経過した場合（ステップＳ５０３：Ｙｅｓ）は、ステップＳ５０１へ戻って処理を続行する。
【００４９】
以上のステップを、たとえば端末装置１２１の電源がオフのときに行う。これにより、端末装置１２１のＭＡＣアドレス（識別情報）を基地局装置１１０へ定期的に無線送信することができる。ここでは端末装置１２１の識別情報の送信動作について説明したが、端末装置１２２（図１参照）の識別情報の送信動作についても同様である。
【００５０】
図６は、図４に示した端末装置による起動動作の一例を示すフローチャートである。図４に示した端末装置１２１は、図５に示した識別情報の送信動作とともに、たとえば以下のような起動動作を行う。まず、受信部４１４が、基地局装置１１０から無線配信された起動指示を無線受信したか否かを判断し（ステップＳ６０１）、起動指示を無線受信するまで待つ（ステップＳ６０１：Ｎｏのループ）。
【００５１】
ステップＳ６０１において、起動指示を無線受信すると（ステップＳ６０１：Ｙｅｓ）、検知部４１５が、ステップＳ６０１によって無線受信した起動指示の起動対象が自装置（端末装置１２１）であるか否かを判断する（ステップＳ６０２）。起動対象が自装置でない場合（ステップＳ６０２：Ｎｏ）は、ステップＳ６０１へ戻って処理を続行する。
【００５２】
ステップＳ６０２において、起動対象が自装置（端末装置１２１）である場合（ステップＳ６０２：Ｙｅｓ）は、起動部４１６が、端末装置１２１の電源をオンにする（ステップＳ６０３）。つぎに、無線送信部４１２が、起動通知を基地局装置１１０へ無線送信し（ステップＳ６０４）、一連の動作を終了する。
【００５３】
以上のステップにより、基地局装置１１０から無線配信された起動指示のうち、端末装置１２１を起動対象とする起動指示を検知し、端末装置１２１の電源をオンにすることができる。また、以上のステップにより電源をオンにした後は、図５に示した識別情報の送信動作を停止してもよい。ここでは端末装置１２１の起動動作について説明したが、端末装置１２２（図１参照）の起動動作についても同様である。
【００５４】
（通信システムの動作）
図７は、図１に示した通信システムにおける識別情報の管理動作の一例を示すシーケンス図である。図１に示した基地局装置１１０および端末装置１２１は、たとえば以下のような識別情報の管理動作を行う。まず、端末装置１２１が、端末装置１２１に割り当てられたＭＡＣアドレスを基地局装置１１０へ送信する（ステップＳ７０１）。
【００５５】
つぎに、基地局装置１１０が、ステップＳ７０１によって送信されたＭＡＣアドレスに対するＡｃｋを端末装置１２１へ送信する（ステップＳ７０２）。期間Ｔ１は、ステップＳ７０１によって端末装置１２１がＭＡＣアドレスを送信してから、基地局装置１１０からのＡｃｋの返信を端末装置１２１が待つ期間である。
【００５６】
ここでは、期間Ｔ１中に基地局装置１１０からのＡｃｋが端末装置１２１へ返信されたとする。この場合は、端末装置１２１は、ＭＡＣアドレスが基地局装置１１０に受信されたと判断して、ＭＡＣアドレスの再送は行わない。
【００５７】
つぎに、基地局装置１１０が、ステップＳ７０１によって送信されたＭＡＣアドレスを記憶部１１２のテーブルに追加する（ステップＳ７０３）。つぎに、基地局装置１１０が、ステップＳ７０３によってテーブルに追加されたＭＡＣアドレスのエージング時間Ｔ３（所定期間）を設定する（ステップＳ７０４）。
【００５８】
つぎに、ステップＳ７０１によってＭＡＣアドレスを送信してから期間Ｔ２が経過すると、端末装置１２１が、端末装置１２１に割り当てられたＭＡＣアドレスを基地局へ再度送信する（ステップＳ７０５）。なお、期間Ｔ２は、期間Ｔ１より長い期間である。つぎに、基地局装置１１０が、ステップＳ７０５によって送信されたＭＡＣアドレスに対するＡｃｋを端末装置１２１へ送信する（ステップＳ７０６）。
【００５９】
つぎに、基地局装置１１０が、ステップＳ７０５によって送信されたＭＡＣアドレスのエージング時間Ｔ３をリセットする（ステップＳ７０７）。以降、ステップＳ７０５〜Ｓ７０７と同様の動作を繰り返し行う。以上のステップにより、期間Ｔ２の周期で端末装置１２１から基地局装置１１０へ端末装置１２１のＭＡＣアドレスが送信される。
【００６０】
基地局装置１１０の管理部１１３は、ステップＳ７０４によって設定したエージング時間Ｔ３を時間経過によりデクリメントする。そして、基地局装置１１０の管理部１１３は、エージング時間Ｔ３がデクリメントにより０になると、ステップＳ７０３によってテーブルに追加したＭＡＣアドレスをテーブルから消去する。
【００６１】
ここでは、エージング時間Ｔ３が０になる前にステップＳ７０５によってＭＡＣアドレスを再度受信したため、ステップＳ７０７によってエージング時間がリセットされている。このため、ＭＡＣアドレスはテーブルから消去されずに維持される。ここでは基地局装置１１０と端末装置１２１との間の識別情報の管理動作について説明したが、基地局装置１１０と端末装置１２２との間でも同様の識別情報の管理動作を行う。
【００６２】
図８は、図１に示した通信システムにおける識別情報の管理動作の他の例を示すシーケンス図である。図１に示した基地局装置１１０および端末装置１２１は、たとえば以下のような識別情報の管理動作を行う。まず、端末装置１２１が、端末装置１２１に割り当てられたＭＡＣアドレスを基地局装置１１０へ送信する（ステップＳ８０１）。
【００６３】
ステップＳ８０１において、端末装置１２１から送信されたＭＡＣアドレスがエラーにより基地局装置１１０に受信されなかったとする。この場合は、基地局装置１１０から端末装置１２１へＡｃｋが送信されない。端末装置１２１は、ステップＳ８０１によってＭＡＣアドレスを送信してから期間Ｔ１が経過してもＡｃｋを受信しないため、期間Ｔ１の経過後にＭＡＣアドレスを基地局装置１１０へ再度送信する（ステップＳ８０２）。
【００６４】
また、端末装置１２１は、期間Ｔ１および期間Ｔ２の計時を、ステップＳ８０２によってＭＡＣアドレスを再度送信した時点から改めて行う。ステップＳ８０２においては、端末装置１２１から送信されたＭＡＣアドレスが基地局装置１１０に受信されたとする。
【００６５】
つぎに、基地局装置１１０が、ステップＳ８０２によって送信されたＭＡＣアドレスに対するＡｃｋを端末装置１２１へ送信する（ステップＳ８０３）。ステップＳ８０４〜Ｓ８０８は、図７に示したステップＳ７０３〜Ｓ７０７と同様であるため説明を省略する。ここでは基地局装置１１０と端末装置１２１との間の識別情報の管理動作について説明したが、基地局装置１１０と端末装置１２２との間でも同様の識別情報の管理動作を行う。
【００６６】
図９は、図１に示した通信システムにおける遠隔起動動作の一例を示すシーケンス図である。図１に示した基地局装置１１０、端末装置１２１および通信装置１３０は、図７または図８に示した識別情報の送信動作とともに、たとえば以下のような遠隔起動動作を行う。まず、通信装置１３０が、端末装置１２１のＭＡＣアドレスを起動対象の識別情報として含むマジックパケットを基地局装置１１０へ送信する（ステップＳ９０１）。
【００６７】
つぎに、基地局装置１１０が、ステップＳ９０１によって送信されたマジックパケットからＭＡＣアドレスを抽出し、抽出したＭＡＣアドレスを記憶部１１２のテーブルから検索する（ステップＳ９０２）。ここでは、端末装置１２１から基地局装置１１０へ事前にＭＡＣアドレスが無線送信されており、抽出したＭＡＣアドレスが基地局装置１１０の記憶部１１２のテーブルから見つかったとする。
【００６８】
つぎに、通信装置１３０が、マジックパケットから抽出したＭＡＣアドレスを起動指示対象の識別情報として登録する（ステップＳ９０３）。つぎに、マジックパケットから抽出したＭＡＣアドレスを含む起動指示を無線配信する（ステップＳ９０４）。ステップＳ９０４によって無線配信された起動指示は、端末装置１２１によって無線受信される。
【００６９】
つぎに、端末装置１２１が、ステップＳ９０４によって無線配信された起動指示に対するＡｃｋを基地局装置１１０へ無線送信する（ステップＳ９０５）。期間Ｔ４は、ステップＳ９０４によって基地局装置１１０が起動指示を送信してから、端末装置１２１からのＡｃｋの返信を基地局装置１１０が待つ期間である。
【００７０】
ここでは、期間Ｔ４中に端末装置１２１からのＡｃｋが基地局装置１１０へ返信されたとする。この場合は、基地局装置１１０は、ＭＡＣアドレスが端末装置１２１に受信されたと判断して、起動指示の再配信は行わない。つぎに、端末装置１２１が、端末装置１２１の電源をオンにする（ステップＳ９０６）。つぎに、端末装置１２１が、電源をオンにした旨の起動通知を基地局装置１１０へ無線送信する（ステップＳ９０７）。
【００７１】
期間Ｔ５は、基地局装置１１０が起動指示を送信してから、端末装置１２１からの起動通知を基地局装置１１０が待つ期間である。ここでは、期間Ｔ５中に端末装置１２１からの起動通知が基地局装置１１０へ返信されたとする。この場合は、基地局装置１１０は、端末装置１２１の起動が行われたと判断して、起動指示の再配信は行わない。
【００７２】
つぎに、基地局装置１１０が、ステップＳ９０３によって行ったＭＡＣアドレスの登録を解除し（ステップＳ９０８）、一連の動作を終了する。基地局装置１１０、端末装置１２１および通信装置１３０の間の遠隔起動動作について説明したが、基地局装置１１０、端末装置１２２および通信装置１３０の間でも同様の遠隔起動動作を行ってもよい。
【００７３】
図１０は、図１に示した通信システムにおける遠隔起動動作の他の例を示すシーケンス図である。図１に示した基地局装置１１０、端末装置１２１および通信装置１３０は、図７または図８に示した識別情報の送信動作とともに、たとえば以下のような遠隔起動動作を行う。図１０に示すステップＳ１００１〜Ｓ１００４は、図９に示したステップＳ９０１〜Ｓ９０４と同様であるため説明を省略する。
【００７４】
ただし、ここでは、ステップＳ１００４において、基地局装置１１０から送信された起動指示がエラーにより端末装置１２１に受信されなかったとする。この場合は、端末装置１２１から基地局装置１１０へＡｃｋが送信されない。
【００７５】
基地局装置１１０は、ステップＳ１００４によって起動指示を送信してから期間Ｔ４が経過してもＡｃｋを受信しないため、期間Ｔ４の経過後に起動指示を再度無線配信する（ステップＳ１００５）。ステップＳ１００５においては、基地局装置１１０から無線配信された起動指示が端末装置１２１に受信されたとする。
【００７６】
また、基地局装置１１０は、期間Ｔ４および期間Ｔ５の計時を、ステップＳ１００５によって起動指示を無線配信した時点から改めて行う。つぎに、端末装置１２１が、ステップＳ１００５によって無線配信された起動指示に対するＡｃｋを基地局装置１１０へ無線送信する（ステップＳ１００６）。
【００７７】
図１０に示すステップＳ１００７〜Ｓ１００９は、図９に示したステップＳ９０６〜Ｓ９０８と同様であるため説明を省略する。ここでは基地局装置１１０、端末装置１２１および通信装置１３０の間の遠隔起動動作について説明したが、基地局装置１１０、端末装置１２２および通信装置１３０の間でも同様の遠隔起動動作を行ってもよい。
【００７８】
図１１は、図１に示した通信システムにおける遠隔起動動作のさらに他の例を示すシーケンス図である。図１に示した基地局装置１１０、端末装置１２１および通信装置１３０は、図７または図８に示した識別情報の送信動作とともに、たとえば以下のような遠隔起動動作を行う。図１１に示すステップＳ１１０１〜Ｓ１１０７は、図９に示したステップＳ９０１〜Ｓ９０７と同様であるため説明を省略する。
【００７９】
ただし、ここでは、ステップＳ１１０７において、端末装置１２１から送信された起動通知がエラーにより基地局装置１１０に受信されなかったとする。基地局装置１１０は、ステップＳ１１０４によって起動指示を送信してから期間Ｔ５が経過しても起動通知を受信しないため、期間Ｔ５の経過後に起動指示を再度配信する（ステップＳ１１０８）。
【００８０】
ステップＳ１１０８においては、基地局装置１１０から無線配信された起動指示が端末装置１２１に受信されたとする。また、基地局装置１１０は、期間Ｔ４および期間Ｔ５の計時を、ステップＳ１１０８によって起動指示を無線配信した時点から改めて行う。
【００８１】
つぎに、端末装置１２１が、ステップＳ１１０８によって無線配信された起動指示に対するＡｃｋを基地局装置１１０へ無線送信する（ステップＳ１１０９）。また、端末装置１２１は、ステップＳ１１０６によって既に電源がオンになっているため、起動通知を基地局装置１１０へ再度無線送信する（ステップＳ１１１０）。
【００８２】
つぎに、基地局装置１１０が、ステップＳ１１０３によって行ったＭＡＣアドレスの登録を解除し（ステップＳ１１１１）、一連の動作を終了する。基地局装置１１０、端末装置１２１および通信装置１３０の間の遠隔起動動作について説明したが、基地局装置１１０、端末装置１２２および通信装置１３０の間でも同様の遠隔起動動作を行ってもよい。
【００８３】
図９〜図１１に示したように、基地局装置１１０の配信部１１６は、無線配信した起動信号が起動対象（端末装置１２１または端末装置１２２）に受信されなかった場合に、受信されなかった起動信号を再度無線配信する。これにより、対象の端末装置へ起動指示を確実に受信させ、起動対象の遠隔起動を確実に行うことができる。
【００８４】
（マジックパケットの例）
図１２は、図１に示した通信装置が送信するマジックパケットの例を示す図である。通信装置１３０は、たとえば、図１２に示すＷＯＬマジックパケット１２００を、起動要求として基地局装置１１０へ送信する。ＷＯＬマジックパケット１２００は、宛先アドレス１２１０と、送信元アドレス１２２０と、データ１２３０と、ＦＣＳ１２４０（Ｆｒａｍｅ  Ｃｈｅｃｋ  Ｓｅｑｕｅｎｃｅ）と、を含んでいる。
【００８５】
宛先アドレス１２１０は、基地局装置１１０を宛先に含むブロードキャストアドレス（たとえば「ｆｆ：ｆｆ：ｆｆ：ｆｆ：ｆｆ：ｆｆ」）である。送信元アドレス１２２０は、通信装置１３０のアドレスを示している。データ１２３０には、起動対象のＭＡＣアドレスが格納されている。ここで、起動対象（たとえば端末装置１２１や端末装置１２２）のＭＡＣアドレスを「１１：２２：３３：４４：５５：６６」とする。
【００８６】
この場合は、データ１２３０には、同期用シーケンス「ｆｆ：ｆｆ：ｆｆ：ｆｆ：ｆｆ：ｆｆ」（６オクテット）に続けて、ＭＡＣアドレス「１１：２２：３３：４４：５５：６６」（６オクテット）が１６個連続して格納されている。このため、ＷＯＬマジックパケット１２００のオクテット数は少なくとも６＋６×１６＝１０２になる。
【００８７】
基地局装置１１０が、通信装置１３０から受信したＷＯＬマジックパケット１２００をそのまま起動指示として無線配信すると、ＷＯＬマジックパケット１２００をＥｔｈｅｒｎｅｔ（登録商標）フレーム構造にして無線配信することになる。
【００８８】
この場合は、基地局装置１１０が無線配信するＷＯＬマジックパケット１２００のオクテット数は１１６オクテット以上となる。これに対して、基地局装置１１０は、通信装置１３０から受信したＷＯＬマジックパケット１２００のプロトコルを変換（図１３，図１４参照）することで、無線配信する起動指示のオクテット数を低減する。
【００８９】
（送受信するフレームの例）
図１３は、図１に示した基地局装置と端末装置との間で送受信するフレームの例を示す図である。端末装置１２１および端末装置１２２の電源はオフであるとする。このときに、基地局装置１１０、端末装置１２１および端末装置１２２は、たとえば図１３に示すＭＡＣ層フレーム１３００を、超微弱電波によって互いに送受信する。
【００９０】
ＭＡＣ層フレーム１３００は、たとえばＩＥＥＥ８０２．１５．４に規定されたフレーム構造を有する。具体的には、ＭＡＣ層フレーム１３００は、フレームコントロール１３１０と、シーケンス１３２０と、アドレス１３３０と、ＭＡＣ層ペイロード１３４０と、チェックサム１３５０と、を含んでいる。
【００９１】
たとえば、フレームコントロール１３１０は２オクテットであり、シーケンス１３２０は１オクテットであり、アドレス１３３０は０〜２０オクテットであり、チェックサム１３５０は２オクテットである。アドレス１３３０には、ＭＡＣ層ペイロード１３４０の宛先のＭＡＣアドレスが格納される。
【００９２】
端末装置１２１および端末装置１２２が無線送信する自装置の識別情報や、基地局装置１１０が無線配信する起動指示は、ＭＡＣ層ペイロード１３４０に含まれている。ＭＡＣ層ペイロード１３４０は、コマンドＩＤ１３４１と、コマンドペイロード１３４２と、を含んでいる。コマンドＩＤ１３４１はコマンドの種類を示す情報である。コマンドペイロード１３４２は、コマンドＩＤ１３４１が示す種類のコマンドの内容を示す情報である。
【００９３】
図１４は、図１３に示したＭＡＣ層ペイロードの内容を示す図である。図１４に示すように、ＭＡＣ層フレーム１３００に含まれるＭＡＣ層ペイロード１３４０のコマンドＩＤ１３４１は、「０ｘ８１」、「０ｘ８３」および「０ｘ８４」の３つの値をとる。
【００９４】
コマンドＩＤ１３４１の「０ｘ８１」は、ＭＡＣアドレスを通知するコマンドである。端末装置１２１および端末装置１２２は、コマンドＩＤ１３４１を「０ｘ８１」とし、コマンドペイロード１３４２にはペイロード長「６」と自装置のＭＡＣアドレスを格納したＭＡＣ層フレーム１３００を、自装置の識別情報として基地局装置１１０へ送信する。
【００９５】
コマンドＩＤ１３４１の「０ｘ８３」は、電源をオンにする旨の起動指示を与えるコマンドである。基地局装置１１０は、コマンドＩＤ１３４１を「０ｘ８３」とし、コマンドペイロード１３４２にはペイロード長「０」を格納したＭＡＣ層フレーム１３００を、端末装置１２１または端末装置１２２への起動指示として無線配信する。
【００９６】
コマンドＩＤ１３４１の「０ｘ８４」は、起動指示に対するＡｃｋである。端末装置１２１または端末装置１２２は、基地局装置１１０から起動指示を受信した場合に、コマンドＩＤ１３４１を「０ｘ８４」とし、コマンドペイロード１３４２にはペイロード長「０」を格納したＭＡＣ層フレーム１３００を基地局装置１１０へ無線送信する。
【００９７】
このように、基地局装置１１０の配信部１１６は、図１２に示したＷＯＬマジックパケット１２００ではなく、コマンドＩＤ１３４１の「０ｘ８１」と、起動対象のＭＡＣアドレスを１つ格納したＭＡＣ層フレーム１３００を起動指示として無線配信する。この場合のＭＡＣ層ペイロード１３４０のオクテット数は２０弱になる。
【００９８】
したがって、ＭＡＣ層フレーム１３００のオクテット数は３０オクテット程度になる。これにより、ＷＯＬマジックパケット１２００（１１６オクテット以上）をそのまま無線配信する場合と比べて、基地局装置１１０が無線配信する起動指示のオクテット数を大幅に低減することができる。このため、基地局装置１１０、端末装置１２１および端末装置１２２の消費電力の低減および起動指示の伝送時間の短縮を図ることができる。
【００９９】
また、図９〜図１１に示したように、基地局装置１１０の配信部１１６は、無線配信した起動信号が起動対象（端末装置１２１または端末装置１２２）に受信されなかった場合に、受信されなかった起動信号を再度無線配信する。これにより、起動指示にＭＡＣアドレスが１つしか格納されていなくても、起動対象の端末装置へ起動指示を確実に受信させることができる。このため、起動対象の遠隔起動を確実に行うことができる。
【０１００】
また、有線のＷＯＬのように、マジックパケットをブロードキャストなどによって配信する場合と異なり、基地局装置１１０と端末装置との間で起動指示の再送制御を行っても無線通信網１０１内にしか影響を与えない。このため、起動指示の再送制御を行っても、他のネットワークのトラフィックに与える影響が少ない。
【０１０１】
（テーブルの例）
図１５は、図１に示した記憶部に記憶されるテーブルの一例を示す図である。図１に示した記憶部１１２には、たとえば図１５に示すテーブル１５００が記憶される。テーブル１５００には、エージング時間１５１０と、ＭＡＣアドレス１５２０と、ＭＡＣアドレス１５３０と、指示対象ビット１５４０と、Ａｃｋ待ちタイマ１５５０と、起動通知待ちタイマ１５６０と、の項目が含まれている。
【０１０２】
エージング時間１５１０は、たとえば図７のステップＳ７０４において基地局装置１１０の管理部１１３によって設定されるエージング時間１５１０である。ＭＡＣアドレス１５２０は、たとえば図７のステップＳ７０１において基地局装置１１０の無線受信部１１１によって受信されたＭＡＣアドレスである。
【０１０３】
ＭＡＣアドレス１５２０は、基地局装置１１０の超微弱電波モジュールのＭＡＣアドレスであり、たとえばＩＥＥＥ８０２．１５．４のＭＡＣ層アドレスである。ＭＡＣアドレス１５３０は、たとえば端末装置１２１または端末装置１２２が備える無線ＬＡＮインターフェースのＭＡＣアドレスである。ＭＡＣアドレス１５３０は、たとえば、ＭＡＣアドレス１５２０とともに図７のステップＳ７０１において受信される。
【０１０４】
たとえば図９のステップ９０２においては、マジックパケットから抽出したＭＡＣアドレスをテーブル１５００のＭＡＣアドレス１５３０から検索する。また、図９のＳ９０４においては、ＭＡＣアドレス１５２０を含む起動指示を無線配信する。
【０１０５】
指示対象ビット１５４０は、基地局装置１１０によって起動指示を行うべき状態にある対象を示す情報である。たとえば図９のステップＳ９０３においては、マジックパケットから抽出したＭＡＣアドレスに対応する指示対象ビット１５４０をオンにすることで、マジックパケットから抽出したＭＡＣアドレスを起動指示対象の識別情報として登録する。また、たとえば図９のステップＳ９０８においては、ＭＡＣアドレスに対応する指示対象ビット１５４０をオフにすることでＭＡＣアドレスの登録を解除する。
【０１０６】
Ａｃｋ待ちタイマ１５５０は、たとえば図９のステップＳ９０４によって基地局装置１１０が起動指示を無線配信した時点で設定される期間Ｔ４を示す。Ａｃｋ待ちタイマ１５５０は、たとえば、ＩＥＥＥ８０２．１５．４のシステム規定値０．５４４［ｍｓｅｃ］に設定される。ステップＳ９０４によって無線配信された起動指示に対するＡｃｋを基地局装置１１０が受信すると、Ａｃｋ待ちタイマ１５５０はリセットされる。
【０１０７】
起動通知待ちタイマ１５６０は、たとえば図９のステップＳ９０４によって基地局装置１１０が起動指示を無線配信した時点で設定される期間Ｔ５を示す。起動通知待ちタイマ１５６０は、たとえば、システムのデフォルト値やユーザによって設定された値に設定される。ステップＳ９０４によって無線配信された起動指示に対して起動通知を基地局装置１１０が受信すると、起動通知待ちタイマ１５６０はリセットされる。
【０１０８】
以上説明したように、基地局装置、端末装置および通信方法によれば、周囲に位置する端末装置から無線送信される識別情報を受信して記憶しておくことで、自装置の管理下にある端末装置を起動対象とする起動要求の受信を検知することができる。このため、自装置の管理下にある端末装置を起動対象とする起動要求を受信した場合に起動指示を周囲に無線配信し、起動対象の端末装置を遠隔起動することができる。
【０１０９】
したがって、無線通信網における端末装置を遠隔起動することが可能になる。たとえば、無線ＬＡＮにおけるＰＣを遠隔起動することが可能になる。これにより、たとえば、無線ＬＡＮにおいても、夜間など未使用中のＰＣは電源をオフにしつつ、ＰＣの一斉メンテナンスのために、遠隔地からＰＣの電源をオンにすることができる。このため、「エコ対応」や「グリーンＩＣＴ」を実現することも可能になる。
【０１１０】
また、自装置の管理下にない端末装置を起動対象とする起動要求を受信した場合は無視することが可能であるため、起動要求が配信されるごとに関係のない無線通信網内で起動指示が無線配信されることを回避することができる。このため、関係のない無線通信網において無駄な消費電力およびトラフィックが発生することを回避することができる。
【０１１１】
また、記憶された識別情報のうち、所定期間以上受信されていない識別情報を消去する。これにより、無線通信網から運び出された端末装置や、超微弱電波モジュールの機能が停止した端末装置を自装置の管理から外すことができる。このため、自装置の管理下にある端末装置の情報を常に更新することができる。
【０１１２】
また、無線配信した起動指示が起動対象に受信されなかった場合に、起動指示を再度無線配信する。これにより、起動指示に起動対象の識別情報を連続して格納しなくても、起動対象の端末装置へ起動指示を確実に受信させることができる。このため、起動対象の遠隔起動を確実に行いつつ、起動指示のサイズを小さくすることができる。
【０１１３】
たとえば、起動指示には、起動対象の識別情報が１つ格納されているだけでもよい。したがって、起動対象の無線配信における消費電力を低減することができる。また、起動指示のサイズを小さくすることができるため、他の通信装置におけるデータの送出待ち時間を低減することができる。
【０１１４】
また、端末装置からの識別情報を無線受信する無線受信手段および起動指示を無線配信する配信手段は、端末装置の自装置の電源がオンのときに端末装置と通信を行う通信インターフェースとは別に設けられている。これにより、既存の通信インターフェースに影響を与えなくても、サイズを小さくした独自の起動指示の配信が可能になる。
【０１１５】
基地局装置における端末装置からの識別情報を無線受信する無線受信手段および起動指示を無線配信する配信手段には、たとえば、ＩＥＥＥ８０２．１５．４（２．４ＧＨｚ帯）の超微弱電波モジュールを用いることができる。この超微弱電波モジュールの規格はセンサネットワークに活用するために考案された技術である。この超微弱電波モジュールを基地局装置に採用することでサイズを小さくした独自の起動指示の配信が可能になる。
【０１１６】
また、基地局装置と無線通信を行う端末装置により、電源がオフのときに自装置の識別情報を基地局装置へ無線送信することで、基地局装置の周囲に自装置が位置していることを基地局装置へ通知することができる。これにより、自装置を起動対象とする起動要求を基地局装置が受信した場合に、基地局装置から起動指示を無線配信させることができる。
【０１１７】
また、自装置の識別情報を無線送信する無線送信手段および起動指示を受信する受信手段は、自装置の電源がオンのときに基地局装置と通信を行う通信インターフェースとは別に設けられている。これにより、既存の通信インターフェースに影響を与えなくても、サイズを小さくした独自の起動指示の受信が可能になる。
【０１１８】
端末装置における自装置の識別情報を無線送信する無線送信手段および起動指示を受信する受信手段には、たとえば、ＩＥＥＥ８０２．１５．４（２．４ＧＨｚ帯）の超微弱電波モジュールを用いることができる。この超微弱電波モジュールを端末装置に採用することでサイズを小さくした独自の起動指示の受信が可能になる。
【０１１９】
上述した実施の形態に関し、さらに以下の付記を開示する。
【０１２０】
（付記１）周囲に位置する端末装置から前記端末装置の識別情報を無線受信する無線受信手段と、
前記無線受信手段によって受信された識別情報を記憶する記憶手段と、
起動対象の端末装置の識別情報を含む起動要求を他の通信装置から受信する要求受信手段と、
前記要求受信手段によって受信された起動要求に含まれる識別情報が前記記憶手段に記憶されているか否かを判断する判断手段と、
前記判断手段によって前記識別情報が記憶されていると判断された場合に、前記識別情報が示す端末装置を起動対象とする起動指示を周囲に無線配信する配信手段と、
を備えることを特徴とする基地局装置。
【０１２１】
（付記２）前記配信手段は、無線配信した起動指示が前記起動対象に受信されなかった場合に、前記起動指示を再度無線配信することを特徴とする付記１に記載の基地局装置。
【０１２２】
（付記３）前記記憶手段に記憶された識別情報のうち、前記無線受信手段によって所定期間以上受信されていない識別情報を前記記憶手段から消去する管理手段を備えることを特徴とする付記１または２に記載の基地局装置。
【０１２３】
（付記４）前記無線受信手段および前記配信手段は、前記端末装置の電源がオンのときに前記端末装置と通信を行う通信インターフェースとは別に設けられていることを特徴とする付記１〜３のいずれか一つに記載の基地局装置。
【０１２４】
（付記５）電源がオフのときに自装置の識別情報を基地局装置へ無線送信する無線送信手段と、
前記基地局装置から無線配信された起動指示を受信する受信手段と、
前記受信手段による起動対象が自装置である起動指示の受信を検知する検知手段と、
前記検知手段によって前記受信が検知された場合に自装置の電源をオンにする起動手段と、
を備えることを特徴とする端末装置。
【０１２５】
（付記６）前記無線送信手段および前記受信手段は、前記電源がオンのときに前記基地局装置と通信を行う通信インターフェースとは別に設けられていることを特徴とする付記５に記載の端末装置。
【０１２６】
（付記７）付記１〜４のいずれか一つに記載の基地局装置と、
付記５または６に記載の端末装置と、
を含むことを特徴とする通信システム。
【０１２７】
（付記８）周囲に位置する電源オフの端末装置から前記端末装置の識別情報を無線受信する無線受信工程と、
前記無線受信工程によって受信された識別情報を記憶する記憶工程と、
起動対象の端末装置の識別情報を含む起動要求を他の通信装置から受信する要求受信工程と、
前記要求受信工程によって受信された起動要求に含まれる識別情報が前記記憶工程に記憶されているか否かを判断する判断工程と、
前記判断工程によって前記識別情報が記憶されていると判断された場合に、前記識別情報が示す端末装置を起動対象とする起動指示を周囲に無線配信する配信工程と、
を含むことを特徴とする基地局装置の通信方法。
【０１２８】
（付記９）電源がオフのときに自装置の識別情報を基地局装置へ無線送信する無線送信工程と、
前記基地局装置から無線配信された起動指示を受信する受信工程と、
前記受信工程による起動対象が自装置である起動指示の受信を検知する検知工程と、
前記検知工程によって前記受信が検知された場合に自装置の電源をオンにする起動工程と、
を含むことを特徴とする端末装置の通信方法。
【符号の説明】
【０１２９】
１００  通信システム
１０１  無線通信網
１２００  ＷＯＬマジックパケット
１３００  ＭＡＣ層フレーム
Ｔ１，Ｔ２，Ｔ４，Ｔ５  期間
Ｔ３  エージング時間
【図１】
2010206631.tif 000003
【図２】
2010206631.tif 000004
【図３】
2010206631.tif 000005
【図４】
2010206631.tif 000006
【図５】
2010206631.tif 000007
【図６】
2010206631.tif 000008
【図７】
2010206631.tif 000009
【図８】
2010206631.tif 000010
【図９】
2010206631.tif 000011
【図１０】
2010206631.tif 000012
【図１１】
2010206631.tif 000013
【図１２】
2010206631.tif 000014
【図１３】
2010206631.tif 000015
【図１４】
2010206631.tif 000016
【図１５】
2010206631.tif 000017